(57)【要約】【課題】車内で行われるライブ等のイベントを不特定多数の人が観賞することができるバスを提供する。【解決手段】バス１０は、車両本体２２の後方に設けられた座席５４と、座席５４の前方に設けられたステージ４２と、ステージ４２で行われるイベントの音声を車両本体２２内及び車両本体２２外へ伝えるスピーカ４６、５６と、を有する。【選択図】図１
2018165091.tif 000002
【特許請求の範囲】
【請求項１】
車両本体の後方に設けられた座席と、
前記座席の前方に設けられたステージと、
前記ステージで行われるイベントの音声を前記車両本体内及び前記車両本体外へ伝える音響設備と、
を有するバス。
【請求項２】
前記ステージは、前記座席が取り付けられた前記車両本体の床面より低い位置に設けられており、前記車両本体に設けられた乗降口に通じている、請求項１に記載のバス。
【請求項３】
前記車両本体には、前記ステージで行われるイベントを撮影する撮影機器と、前記撮影機器で撮影された映像を前記車両本体外へ向けて放映するモニタと、が設けられている、請求項１又は２に記載のバス。
【請求項４】
前記ステージと運転席の間には、仕切壁が設けられている、請求項１〜３のいずれか１項に記載のバス。
【請求項５】
前記ステージには、イベントの出演者を支える支持部材が設けられている、請求項１〜４のいずれか１項に記載のバス。
【発明の詳細な説明】
【技術分野】
【０００１】
本発明は、車内でライブ等のイベントを行うことができるバスに関する。
【背景技術】
【０００２】
通常、ライブ等のイベントはライブハウスやコンサートホール等の会場で行われる。この場合、観客は会場まで足を運ばなければならず、また、会場内にいる観客しかライブを観賞することができなかった。
【０００３】
また、例えば特許文献１に示すように、会場の映像を撮影し、撮影した映像を遠隔地の映画館等で同時放映する、いわゆるライブビューイングが行われることがある。しかしながら、やはり観客は映画館等まで足を運ぶ必要があり、映画館内の観客しかライブを観賞することができなかった。
【先行技術文献】
【特許文献】
【０００４】
【特許文献１】特開２０１６−１９７３５０号公報
【発明の概要】
【発明が解決しようとする課題】
【０００５】
本発明は上記事実に鑑み、車内で行われるライブ等のイベントを不特定多数の人が観賞することができるバスを提供することを目的とする。
【課題を解決するための手段】
【０００６】
請求項１に記載のバスは、車両本体の後方に設けられた座席と、前記座席の前方に設けられたステージと、前記ステージで行われるイベントの音声を前記車両本体内及び前記車両本体外へ伝える音響設備と、を有する。
【０００７】
上記構成によれば、バスの車両本体に座席とステージが設けられているため、観客は座席に座ってバスで移動しながら、ステージで行われるライブ等のイベントを観賞することができる。また、バスで観客を迎えに行くことができるため、会場に足を運ぶ必要がなく、お年寄り等であっても気軽にイベントを楽しむことができる。
【０００８】
さらに、音響設備で車両本体の内外に音声を伝えながら、バスを走行させることで、車両本体内の観客だけではなく、車両本体外にいる不特定多数の人もイベントを楽しむことが可能となり、不特定多数の人に向けてプロモーションを行うことが可能となる。
【０００９】
請求項２に記載のバスは、請求項１に記載のバスにおいて、前記ステージは、前記座席が取り付けられた前記車両本体の床面より低い位置に設けられており、前記車両本体に設けられた乗降口に通じている。
【００１０】
上記構成によれば、座席が取り付けられた車両本体の床面より低い位置にステージが設けられているため、座席に座っている観客は高い位置からイベントを観賞することができる。また、ステージがバスの乗降口に通じているため、例えば楽器等の機材をステージに搬入することが容易となる。
【００１１】
請求項３に記載のバスは、請求項１又は２に記載のバスにおいて、前記車両本体には、前記ステージで行われるイベントを撮影する撮影機器と、前記撮影機器で撮影された映像を前記車両本体外へ向けて放映するモニタと、が設けられている。
【００１２】
上記構成によれば、バスの車両本体に、ステージで行われるイベントを撮影する撮影機器と、撮影機器で撮影された映像を車両本体外へ向けて放映するモニタと、が設けられている。このため、車両本体内のステージで行われているイベントの映像を車両本体外にいる不特定多数の人が容易に観賞することができる。
【００１３】
請求項４に記載のバスは、請求項１〜３のいずれか１項に記載のバスにおいて、前記ステージと運転席の間には、仕切壁が設けられている。
【００１４】
上記構成によれば、ステージとバスの運転席との間に仕切壁を設けられているため、ステージをライブ等の会場により近い環境とすることができるとともに、仕切壁によってイベントの音声を観客側へ反響させることができる。
【００１５】
請求項５に記載のバスは、請求項１〜４のいずれか１項に記載のバスにおいて、前記ステージには、イベントの出演者を支える支持部材が設けられている。
【００１６】
上記構成によれば、イベントの出演者を支える支持部材をステージに設けることで、バスが走行中に大きく揺れた場合でも、イベントの出演者のパフォーマンスに影響が出ることを抑制することができる。
【発明の効果】
【００１７】
本発明によれば、車内で行われるライブ等のイベントを不特定多数の人が観賞することができる。
【図面の簡単な説明】
【００１８】
【図１】本発明の実施形態の一例におけるバスを示す平面図である。
【図２】本発明の実施形態の一例におけるバスを示す側面図である。
【図３】本発明の実施形態の一例におけるバスの車両本体内を示す斜視図である。
【発明を実施するための形態】
【００１９】
以下、本発明の実施形態の一例に係るバスについて、図１〜図３を参照して説明する。
【００２０】
（構成）
本実施形態のバス１０は、いわゆる路線バス（一般路線バス）を改造したものであり、図１、図２に示すように、前方乗降口１２、後方乗降口１４、前方窓１６、後方窓１８、及び複数の側面窓２０を有する車両本体２２を備えている。
【００２１】
また、車両本体２２の前面（図１、図２における左面）及び後面（図１、図２における右面）には、それぞれ電光掲示板２４が設置されている。さらに、車両本体２２は、タイヤ２６、ハンドル２７、図示しないシャーシ、エンジン、及びステアリング等の車を構成する部品を備えており、走行可能とされている。
【００２２】
バス１０の車両本体２２内は、前方（図１、図２における左方）から順にコントロールエリア２８と、イベントエリア３０と、観賞エリア３２と、に分けられている。コントロールエリア２８には、前方乗降口１２や、バス１０の運転席３４が設けられている。
【００２３】
また、コントロールエリア２８には、電光掲示板２４や後述するカメラ４４、スピーカ４６、５６、照明４８等の電源となる発電機３６、及び電光掲示板２４の表示やカメラ４４の映像、スピーカ４６、５６の音量、照明４８の色や明るさ等を調整する制御装置３８が設けられている。さらに、コントロールエリア２８における側面窓２０の内側には、画面が車両本体２２の外側に向いた一対のモニタ４０がそれぞれ取り付けられている。
【００２４】
イベントエリア３０には、後方乗降口１４と、ステージ４２と、ステージ４２で行われるイベントを撮影する撮影機器としてのカメラ４４と、が設けられている。また、ステージ４２には、音響設備としての一対のスピーカ４６、及びステージ４２を照らす照明４８が設けられている。さらに、ステージ４２の側面及び床面には、ステージ４２にいるイベントの出演者を支える支持部材としての手摺５０Ａ及びポール５０Ｂがそれぞれ取り付けられている。
【００２５】
なお、コントロールエリア２８とイベントエリア３０とは、仕切壁５２によって仕切られている。図１に示すように、仕切壁５２には出入口５２Ａが設けられており、イベントの出演者等が出入口５２Ａを通ってコントロールエリア２８とイベントエリア３０とを行き来することが可能とされている。
【００２６】
観賞エリア３２の床面には、前方に向いた複数の座席５４が取り付けられている。本実施形態において、座席５４は、固定式の座席５４Ａと跳ね上げ式の座席５４Ｂとから成り、２５名程度が着席可能とされている。
【００２７】
また、観賞エリア３２における車両本体２２の外側には、一対のスピーカ５６が設けられている。なお、スピーカ５６は、車両本体２２の屋根の上に取り付けられていてもよい。さらに、イベントエリア３０と観賞エリア３２との境には段差５８が形成されており、観賞エリア３２の床面は、イベントエリア３０の床面より一段高くなっている。
【００２８】
（使用方法）
次に、本実施形態のバス１０を用いてイベントを行う方法について説明する。なお、本実施形態では、イベントの一例として、バンドによるライブを行う場合について説明する。
【００２９】
バス１０の車両本体２２内でライブを行う場合には、まず、図３に示すように、事前に電子ドラムやギター等の楽器６０Ａ及びマイク６０Ｂ等を、後方乗降口１４からイベントエリア３０のステージ４２に搬入し、セッティングしておく。次に、運転手がバス１０を走行させて任意の集合場所まで観客を迎えに行き、観客をバス１０に乗せる。このとき、観客は後方乗降口１４から車両本体２２内に乗り込み、観賞エリア３２の座席５４に着席する。
【００３０】
その後、バス１０を走行させながら、ステージ４２上でイベントの出演者によるライブが行われる。このとき、コントロールエリア２８では、裏方が制御装置３８を操作することでスピーカ４６、５６の音量、及び照明４８の色や明るさ等を調整する。
【００３１】
ライブの音声や映像はカメラ４４で撮影されており、制御装置３８に電気的に接続されたモニタ４０によって車両本体２２外に向けて放映される。また、制御装置３８に電気的に接続された電光掲示板２４によって、バンド名等の広告が車両本体２２外に向けて表示される。
【００３２】
なお、カメラ４４は通信回線やインターネットに接続されていてもよく、この場合、カメラ４４によって撮影されたライブの映像を配信することで、不特定多数の人がインターネット上で観賞することができる。ライブの終了後は、バス１０を走行させて再び集合場所まで戻り、観客をバス１０から降ろす。
【００３３】
（作用及び効果）
本実施形態によれば、バス１０の車両本体２２に座席５４とステージ４２が設けられているため、観客は座席５４に座ってバス１０で移動しながら、ステージ４２で行われるライブ等のイベントを観賞することができる。このとき、バス１０が走行することで、流れる風景の中で適度な振動が観客に伝わり、ライブ会場等では味わえない高揚感を得ることができる。
【００３４】
また、バス１０で観客を任意の集合場所まで迎えに行くことができるため、ライブ会場に足を運ぶ必要がなく、お年寄り等であっても気軽にイベントを楽しむことができる。さらに、スピーカ４６で車両本体２２内にライブの音声を伝えるとともに、スピーカ５６で車両本体２２外にライブの音声を伝えながら、バス１０を走行させることができる。
【００３５】
これにより、車両本体２２内の観客だけではなく、車両本体２２外にいる不特定多数の人もイベントを楽しむことが可能となり、不特定多数の人に向けてプロモーションを行うことが可能となる。
【００３６】
また、本実施形態では、車両本体２２内において、観賞エリア３２の床面がイベントエリア３０の床面より一段高くなっている。すなわち座席５４が取り付けられた車両本体２２の床面より低い位置にステージ４２が設けられているため、座席５４に座っている観客は高い位置からイベントを観賞することができ、イベントの出演者を視認することが容易となる。さらに、ステージ４２が設けられたイベントエリア３０にバス１０の後方乗降口１４が設けられているため、楽器６０Ａ等の機材をステージ４２に搬入することが容易となる。
【００３７】
また、本実施形態によれば、バス１０の車両本体２２に、ステージ４２で行われるライブ等のイベントを撮影するカメラ４４と、カメラ４４で撮影された映像を車両本体２２外へ向けて放映するモニタ４０と、が設けられている。このため、車両本体２２内のステージ４２で行われているイベントの映像を車両本体２２外にいる不特定多数の人が容易に観賞することができる。
【００３８】
また、本実施形態によれば、コントロールエリア２８とイベントエリア３０のステージ４２とが仕切壁５２によって仕切られている。このため、座席５４に着席した観客からはコントロールエリア２８にいる運転手や裏方が見えず、また、仕切壁５２によってライブ等のイベントの音声を観客側へ反響させることができ、ステージ４２をライブ等の会場により近い環境とすることができる。
【００３９】
さらに、本実施形態によれば、ステージ４２に手摺５０Ａやポール５０Ｂ等の支持部材が設けられている。このため、バス１０が走行中に大きく揺れた場合でも、イベントの出演者は手摺５０Ａやポール５０Ｂにつかまることができ、イベントの出演者のパフォーマンスに影響が出ることを抑制することができる。
【００４０】
（その他の実施形態）
以上、本発明の実施形態の一例について説明したが、本発明はかかる実施形態に限定されるものではなく、本発明の範囲内にて他の種々の実施形態が可能である。
【００４１】
例えば、上記実施形態では、モニタ４０によってカメラ４４で撮影された映像を車両本体２２外へ向けて放映していた。しかし、例えばイベントの出演者を紹介するプロモーションビデオ等をモニタ４０で放映してもよい。
【００４２】
また、上記実施形態では、イベントの一例としてバンドのライブが行われる場合について説明したが、イベントはバンドのライブには限られない。例えばダンスや芝居、演芸、トークショー、本の読み聞かせ、ファッションショー、試写会、記者会見、撮影会、マジックショー、セミナー、カラオケ、展示会、体験型講座等のイベントをステージ４２で行うことが可能である。
【００４３】
なお、ステージ４２の設備（音響設備等）やバス１０の車両本体２２のレイアウトは、イベントの内容によって適宜変更することができる。例えば、観賞エリア３２の一部に座席５４が取り付けられていない立ち見エリアを設けてもよく、また、車両本体２２に仕切壁５２や手摺５０Ａ、ポール５０Ｂが設けられていなくてもよい。
【符号の説明】
【００４４】
１０          バス
１４          後方乗降口（乗降口の一例）
２２          車両本体
３４          運転席
４０          モニタ
４２          ステージ
４４          カメラ（撮影機器の一例）
４６、５６    スピーカ（音響設備の一例）
５０Ａ        手摺（支持部材の一例）
５０Ｂ        ポール（支持部材の一例）
５２          仕切壁
５４          座席
【図１】
2018165091.tif 000003
【図２】
2018165091.tif 000004
【図３】
2018165091.tif 000005